(57)【要約】【課題】麻雀のルールを知らない初心者や麻雀に不慣れな者であっても、手牌に応じた和り役を完成させることができ、雀球遊技の面白みを得ることが可能な遊技機などを提供する。【解決手段】和り牌判定プログラムは、自摸牌操作支援操作プログラム及び捨て牌選択支援プログラムを含む。自摸牌選択支援プログラムは、自摸牌候補を表示装置の下部に表示される自摸操作支援ウインドウに表示することで、自摸牌候補の選択を支援する一方、捨て牌選択支援プログラムは、目標等する和り役を完成させるために不要となる捨て牌を抽出し、抽出した捨て牌候補を点滅表示させるなどして、捨て牌候補の選択を支援する。【選択図】図１０
2007229125.tif 000002
【特許請求の範囲】
【請求項１】
複数の牌種からなる麻雀牌の図柄に対応させて遊技盤面部内に設けられた複数の入球口と、遊技情報を表示する表示装置とを備え、前記各入球口への遊技球の入球により得られた麻雀牌図柄の組合せによって和り役を成立させるように遊技し得る雀球遊技機であって、
１ゲームの開始に際して前記表示装置に配牌を表示するとともに、ゲームの進行に応じた手牌及び自摸牌を前記表示装置に表示する表示制御手段と、
所定の和り役の完成に向けてゲームを進行させ得るように、前記手牌及び自摸牌の中から捨て牌候補を決定する決定手段とを備え、
前記表示制御手段は、前記決定された捨て牌候補と他の牌との表示態様を変えることを特徴とする遊技機。
【請求項２】
前記決定手段は、前記手牌及び自摸牌を組み合わせることによって聴牌が形成される場合、前記決定された捨て牌候補に対応する待ち牌候補をさらに決定し、
前記表示制御手段は、前記決定された待ち牌候補を前記表示装置に表示することを特徴とする請求項１に記載の遊技機。
【請求項３】
前記表示制御手段は、前記決定された捨て牌候補が複数ある場合、各捨て牌候補の表示態様を変えることを特徴とする請求項１または２に記載の遊技機。
【請求項４】
複数の牌種からなる麻雀牌の図柄に対応させて遊技盤面部内に設けられた複数の入球口と、遊技情報を表示する表示装置とを備えたコンピュータに、前記各入球口への遊技球の入球により得られた麻雀牌図柄の組合せによって和り役を成立させるように遊技し得る雀球遊技を実行させるためのシミュレーションプログラムであって、
前記コンピュータに、
１ゲームの開始に際して前記表示装置に配牌を表示するとともに、ゲームの進行に応じた手牌及び自摸牌を前記表示装置に表示するステップと、
所定の和り役の完成に向けてゲームを進行させ得るように、前記手牌及び自摸牌の中から捨て牌候補を決定するステップと、
前記決定された捨て牌候補と他の牌との表示態様を変えるステップと
を実行させることを特徴とするシミュレーションプログラム。
【発明の詳細な説明】
【技術分野】
【０００１】
本発明は、遊技規則の複雑な遊技機において、その遊技進行が円滑となるよう補助し得るように改善した遊技機に関する。
【背景技術】
【０００２】
従来、各種遊技部品が配置された遊技盤の下部に、麻雀牌の図柄を付した所定数の入球口を備え、メダル投入口に遊技メダル（以下、単に「メダル」とも言う）が投入された後、例えば１ゲーム当たり１４個の遊技球が遊技盤面上に打ち出されて各遊技球が何れかの入球口に入球した際、当該入球口に対応する麻雀牌の図柄が、上記遊技盤面上に配置された表示装置に表示されるように機能する遊技機としての雀球遊技機が存在する（例えば、特許文献１参照）。
また近年では、メダル投入口に投入された遊技メダルを検知スイッチに基づいて検出した時点で、麻雀牌の図柄を表示装置に適宜の組み合わせで自動的に表示（つまり自動配牌）する機能を備えた雀球遊技機も知られている。
【０００３】
上記従来の雀球遊技機では、表示装置に表示される手牌のうちから不要な牌を捨てる（別言すれば、捨て牌操作する）ことで新たに１個の遊技球を打ち出し得る状態となり、これら捨て牌操作及び再打ち出し操作が所定回数以内にて繰り返し行われ、所定の和り役が完成した時点で得点が計算され、その得点に応じた数の遊技メダルが払い出される。
【０００４】
【特許文献１】特開平７−３９６２３号公報
【発明の開示】
【発明が解決しようとする課題】
【０００５】
ところで、上記特許文献１に記載されるような雀球遊技機は、遊技球を遊技領域に弾き入れて所望の入賞口等に入球させるように遊技する点においてはパチンコ機等の遊技機と略同様の形態をとるが、その最終的な勝ち負けを決する際には、その遊技規則が一般的に複雑とされる麻雀についての知識が必要となる。
例えば、所定の和り役を完成させるためには、できるだけはやく聴牌（和りまであと１枚の状態）する必要があるが、麻雀のルールを知らない初心者や麻雀に不慣れな者にとっては、最適な捨て牌の選択等は困難であり、遊技球を無駄に使用してしまう虞がある。
【０００６】
このように、和り役を完成させる過程や夫々の和り役によって決まる得点等の遊技規則を予め理解していない遊技者にとっては、雀球遊技機の面白みを得ることができず、繰り返し行いたいという意欲を向上させることは困難なものとなっていた。
【０００７】
本発明は以上説明した事情を鑑みてなされたものであり、麻雀のルールを知らない初心者や麻雀に不慣れな者であっても、手牌に応じた和り役を完成させることができ、雀球遊技の面白みを得ることが可能な遊技機などを提供することを目的とする。
【課題を解決するための手段】
【０００８】
上記課題を解決するため、本発明に係る遊技機は、複数の牌種からなる麻雀牌の図柄に対応させて遊技盤面部内に設けられた複数の入球口と、遊技情報を表示する表示装置とを備え、前記各入球口への遊技球の入球により得られた麻雀牌図柄の組合せによって和り役を成立させるように遊技し得る雀球遊技機であって、１ゲームの開始に際して前記表示装置に配牌を表示するとともに、ゲームの進行に応じた手牌及び自摸牌を前記表示装置に表示する表示制御手段と、所定の和り役の完成に向けてゲームを進行させ得るように、前記手牌及び自摸牌の中から捨て牌候補を決定する決定手段とを備え、前記表示制御手段は、前記決定された捨て牌候補と他の牌との表示態様を変えることを特徴とする。
【０００９】
このように、捨て牌操作を支援する際、該捨て牌候補と他の牌（すなわち、捨て牌候補とはならない牌）との表示態様を異ならせることで、表示エリアなどに厳しい制約が課せられていたとしても、効率良く捨て牌候補となる牌を遊技者に報知することができる。この結果、麻雀の和り役等を熟知していない初心者であっても、ストレスを感じることなく不要な牌を迅速に捨てることができ、雀球遊技を楽しむことができる。
【００１０】
ここで、上記構成にあっては、前記決定手段は、前記手牌及び自摸牌を組み合わせることによって聴牌が形成される場合、前記決定された捨て牌候補に対応する待ち牌候補をさらに決定し、前記表示制御手段は、前記決定された待ち牌候補を前記表示装置に表示する態様が好ましい（図１４参照）。このように、手牌及び自摸牌を組み合わせることによって聴牌が形成される場合には、捨て牌候補の表示態様を変えるだけでなく、捨て牌候補に対応する待ち牌候補を表示装置に表示することで、麻雀の和り役等を熟知していない初心者等であっても、迅速かつ確実に聴牌を形成することができ、雀球遊技を楽しむことができる。
また、捨て牌候補に対応する待ち牌候補を表示装置に表示することで、遊技者の期待感をより一層高めることが可能となる。さらに、これに加えてキャラクタによる遊技規則や和り役に関するメッセージ（例えば、「五筒、若しくは八筒の両面待ちだ！！頑張れ！！」など）を表示しても良い。かかる構成によれば、遊技規則や和り役の作り方などがわからない初心者などであっても、ゲームに親しみながら楽しんで覚えることができる。また、これら遊技規則や和り役の作り方を覚えることができれば、より高いレベルで作戦を立てることが可能となり、遊技性の向上を図ることが可能となる。
【００１１】
また、上記構成にあっては、前記表示制御手段は、前記決定された捨て牌候補が複数ある場合、各捨て牌候補の表示態様を変える態様が好ましい。このように、複数の牌を捨て牌候補として選択した場合には、所定の条件に基づいて適切な捨て牌候補（ここでは「北」）と、他の捨て牌候補（ここでは「白」）との間で表示態様を変えても良い。なお、このとき、音声・効果音出力プログラムＰ４１を作動させて、和り役をつくるときのポイントをあらわす音声メッセージ（「まだ２巡目なので、「北」を捨てるのが最も望ましいでしょう！」など）を出力しても良い。
【００１２】
また、上記構成にあっては、前記決定手段は、自摸牌候補をさらに決定し、前記表示制御手段は、前記自摸牌候補を、前記表示装置に設定された表示ウインドウに表示する態様がさらに好ましい（図１４参照）。このように、自摸操作を支援する際、設定された表示ウインドウの中に自摸牌候補となる牌を表示することで、遊技者の期待感をより一層高めることが可能となる。さらに、これに加えてキャラクタによる遊技規則や和り役に関するメッセージ（例えば、「五筒、若しくは八筒の両面待ちだ！！頑張れ！！」など）を表示しても良い。かかる構成によれば、遊技規則や和り役の作り方などがわからない初心者などであっても、ゲームに親しみながら楽しんで覚えることができる。また、これら遊技規則や和り役の作り方を覚えることができれば、より高いレベルで作戦を立てることが可能となり、遊技性の向上を図ることが可能となる。
【００１３】
また、本発明に係る雀球遊技をコンピュータによって実現しても良い。そのためのシミュレーションプログラムは、ＣＤ−ＲＯＭ、磁気ディスク、半導体メモリ及び通信ネットワークなどの各種の媒体を通じて、例えば、業務用又は家庭用のテレビゲーム機や、パーソナルコンピュータなど情報処理装置内のメモリにインストールまたはロードすることができる。
【発明の効果】
【００１４】
本発明によれば、麻雀のルールを知らない初心者や麻雀に不慣れな者であっても、手牌に応じた和り役を完成させることができ、雀球遊技の面白みを得ることが可能となる。
【発明を実施するための最良の形態】
【００１５】
Ａ．本実施形態
（Ａ−１．実施形態の構成）
以下、本発明に係る雀球遊技機の実施形態として、遊技場等に設置される雀球遊技機について図１ないし図１１を参照して説明する。本雀球遊技機においては、２７種の牌の図柄を各４個、計１０８個の牌を使用して遊技を行う雀球遊技機を例にして説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。
なお、上記した２種の数牌は、例えば、萬子を「一萬」〜「九萬」の９種類の図柄、索子を「一索」〜「九索」の９種類の図柄から構成し、字牌は筒子の「一筒」と「九筒」、及び「東」「南」「西」「北」「白」「發」「中」から構成される麻雀牌の図柄を有する雀球遊技機にすることも可能である。また例えば、索子を「一索」〜「九索」の９種類の図柄、筒子を「一筒」〜「九筒」の９種類の図柄から構成し、字牌は筒子の「一萬」と「九萬」、及び「東」「南」「西」「北」「白」「發」「中」から構成される麻雀牌の図柄を有する雀球遊技機にすることも可能である。
ただし、本実施形態では、雀球遊技機の理解を容易にするために、以下の記載の一部において、すべての牌（３４種、計１３６個の牌）を使用して遊技を行う雀球遊技機を例にして適宜説明する。
【００１６】
図１は、本実施形態における雀球遊技機１の全体を示す正面図である。同図に示すように、本雀球遊技機１の前面部は、基本的には遊技盤面部２、操作パネル３、操作パネル３の下方に設けられた遊技球発射レバー４、メダル受け皿５、音声や効果音（以下、音声という）を出力する音声出力装置であるスピーカ６、ランプ装置７等から構成されている。
【００１７】
図１及び図２に示すように、ガイドレール８に囲まれた遊技盤面部２の略中央部には、液晶表示装置等により構成された所要の演出表示を行うための表示装置３８が配置されている。この表示装置３８の上方には、可変入球口（特別入球口とも言う）としてのアタッカー９が配置されている。また、アタッカー９の上方には表示部３７が配置され、表示装置３８の左右には、遊技球振り分け装置１２の振り分け部材１２ａ，１２ｂが配設され、アタッカー９の左右には、遊技球が通過可能な可変入球口作動口としてのアタッカー作動通過口１０ａ，１０ｂが配置されている。
【００１８】
上記表示装置３８は、遊技盤面部２から図１紙面の奥側に後退するように配置されている。また、上記遊技球振り分け装置１２は、雀球遊技機１の電源がオンされた時点から絶えず左右方向に連続的に往復移動する振り分け部材１２ａ，１２ｂの当該移動を妨げないようにするため、該振り分け部材１２ａ，１２ｂ以外の箇所が図１紙面の奥側に後退するように構成されている。これら表示装置３８、及び遊技球振り分け装置１２の振り分け部材１２ａ，１２ｂ以外の箇所の下部には、後述する入球口１１ｃ、１１ｄ、１１ｅ、…の上方に若干の隙間をあけた形で当該入球口１１ｃ、１１ｄ、１１ｅ、…の略全域に亘るように左右方向に延在する遊技球ステージＳが設けられている。これら入球口１１ｃ〜１１ｅ、…と遊技球ステージＳとの間には、入球口１１ｃ〜１１ｅ、…の直ぐ上方にて各入球口の入球幅を規制するための多数の障害釘（図示せず）が打ち込まれている。なお、遊技盤面部２には、風車（図示せず）や上記とは別の障害釘（図示せず）が多数設けられている。
【００１９】
また、表示装置３８と表示部３７との間における左右には入球口１１ａ，１１ｂが配置されており、上記遊技球ステージＳの下方には、複数個（本実施形態では２５個）の入球口１１ｃ、１１ｄ、１１ｅ、…が配設されている。入球口１１ａ、１１ｂ、１１ｃ、１１ｄ、１１ｅ、…は、二索から八索までの索子牌を除いた牌の図柄２７種（図柄は図示せず）に対応して、２７個が設けられている。入球口１１ａ，１１ｂには夫々「一索」と「九索」が表示されており、また入球口１１ｃには「一萬」、入球口１１ｄには「二萬」、入球口１１ｅには「三萬」というように、所要の麻雀牌図柄が順次表示されている。
【００２０】
操作パネル３には、図３に示すように、表示装置等から構成される表示装置１４、メダル投入口１５、及び各種の操作ボタンが設けられている。この各種の操作ボタンは、１３個のボタンが横方向に並設された捨て牌ボタン１６ａ、１６ｂ、・・・、１６ｍ、自摸牌捨てボタン１７、リーチボタン１８、牌選択右シフトボタン１９、牌選択左シフトボタン２０、自摸牌決定ボタン２１、払い出しボタン２２、遊技終了ボタン２３、遊技開始ボタン２４、ＲＥＪＥＣＴボタン２５から構成されている。なお、遊技者がこれらの各ボタンを操作する（押下してスイッチをオンする）と、例えば、自摸牌決定ボタン２１を操作すると自摸牌決定信号が発生し、この信号がマイクロコンピュータから構成される制御基板に入力される。そして、制御基板に搭載されているソフトウエア（プログラム）は、入力された信号ごとに、ゲームを進行させるために予め設定された処理を実行するようになっている。
【００２１】
表示装置１４には、その表示面に種々の表示部が設定され、遊技者に対してゲームの進行に応じて必要な情報や画像及び演出用画像をこの表示部に表示するようにしている。例えば、図４に示すように、表示面の上部横方向には、遊技メダル貯留枚数表示部２６、残り遊技球数表示部２７、風牌表示部２８、表ドラ表示部２９、裏ドラ表示部３０、和り牌表示部３１、特別遊技のうち、ビッグゲームの権利を得ることができる和り役を示すビッグゲーム和り役表示部３２、更に、チャンスゲームの権利を得ることができる和り役を示すチャンスゲーム和り役表示部３３、捨て牌の図柄を表示する捨て牌表示部３４、手牌表示部３５、自摸牌表示部３６、和り役選択表示部５４が設けられ、ゲームの進行に応じて牌の図柄、演出画像、数値等が表示される。
【００２２】
手牌表示部（表示装置）３５には１３個の手牌の図柄が表示される一方、自摸牌表示部（表示装置）３６には自摸した牌の図柄が表示される。表示される麻雀牌はカラー表示され、手牌表示部３５及び自摸牌表示部３６に表示している各図柄の下部には、捨て牌ボタン１６ａ、１６ｂ、…、に対応するボタン名（Ａ、Ｂ、Ｃ、Ｄ、Ｅ、・・・）が表示されている。
本実施形態では、手牌表示部３５及び自摸牌表示部３６に表示される牌の中から、目標とする和り役を完成させるために不要となる牌（すなわち、捨て牌）の候補を選択し、選択した捨て牌候補を点滅表示（あるいは牌の色調を変えるなど）して、捨て牌候補を遊技者に報知する（詳細は後述）。
【００２３】
ここで、上記表示装置１４に配置された和り役選択表示部５４について、更に詳細に説明する。和り役選択表示部５４は、上下方向に複数段（本実施形態では５段）に分割された表示エリアを有しており、各表示エリアは和り役表示部（和り役選択操作部）５５ａ、５６ａ、５７ａ、５８ａ、５９ａと、予想得点表示部５５ｂ、５６ｂ、５７ｂ、５８ｂ、５９ｂとを備えて構成される。
【００２４】
和り役表示部５５ａ〜５９ａは夫々、メダル投入口１５に遊技メダル（図示せず）が投入され、後述の自動配牌プログラム（配牌図柄決定手段）Ｐ５によって自動決定された所定数（本実施形態では１４個）の麻雀牌図柄が手牌表示部３５及び自摸牌表示部３６に配牌として表示されて１ゲームが開始された時点で、当該配牌に基づく完成の可能性（すなわち、与えられた配牌を使って役作りを進める際の約の可能性）が高い順に複数（本実施形態では５個）の和り役の名称を表示する。そして、和り役表示部５５a〜５９ａには、タッチパネルＴＰが夫々配設されている。これらタッチパネル（タッチセンサ）ＴＰは、後述の和り役選択プログラムＰ１４とによって、和り役表示部５５ａ〜５９ａに表示された複数種の和り役のうちから所望の和り役を選択させるための和り役選択手段を構成している。
【００２５】
一方、予想得点表示部５５ｂ〜５９ｂは、後述の予想得点算出プログラムＰ１５によって算出された予想得点を和り役に対応させた形で、後述の表示制御プログラムＰ３２３による制御で表示する。
【００２６】
ついで、本雀球遊技機１の制御系に関して詳細に説明する。即ち、雀球遊技機１の内部の所定位置には、本実施形態の雀球遊技機１の作動を制御するための制御基板が搭載されている。この制御基板は、例えば、図５に示すように、メイン制御基板Ｋａ、サブ制御基板Ｋｂ、画像制御基板Ｋｃ、画像制御基板Ｋｄから構成されている。メイン制御基板Ｋａ、サブ制御基板Ｋｂ、画像制御基板Ｋｃ、画像制御基板Ｋｄは、それぞれＣＰＵ４０、ＲＯＭ４１、ＲＡＭ４２、各種センサや捨て牌ボタン１６ａ等の各種操作ボタン等との信号の入出力を行うための入出力インターフェイス回路４３、及び制御基板Ｋａ、Ｋｂ、Ｋｃとの通信を行うための通信用インターフェイス回路４４等を備えたマイクロコンピュータから構成されている。なお、メイン制御基板Ｋａの入出力インターフェイス回路４３における「入出力」とは、各種操作ボタン等からの信号を「入力」し、当該入力信号に基づいた信号（コマンド等）を「出力」するという、一方向の信号の流れを意味する。
【００２７】
そして、雀球遊技機１の作動を制御、或いは表示装置１４、表示装置３８及び表示部３７に情報や画像を表示するための各種のソフトウエア（プログラム）は、各制御基板Ｋａ、Ｋｂ、Ｋｃ、Ｋｄに搭載されたＲＯＭ４１に記憶されている。また、各ＲＡＭ４２は、これらプログラムが作動するときに各種のデータの読み込みやデータの作成、計算等を行うための記憶エリア、計算エリアとして使用される。また、メイン制御基板Ｋａとサブ制御基板Ｋｂ、サブ制御基板Ｋｂと画像制御基板Ｋｃ、サブ制御基板Ｋｂと画像制御基板Ｋｄとは、ケーブル線Ｔ１、Ｔ２により接続されてデータ通信ができるようになっている。なお、ＣＰＵ４０としては、各メイン制御基板Ｋａ、サブ制御基板Ｋｂ、画像制御基板Ｋｃ、画像制御基板Ｋｄの処理機能に対応して８ビット、１６ビット或いは３２ビットのＣＰＵや、これらを超えるビット数のＣＰＵ等のうち何れかを採用することができる。
【００２８】
なお、サブ制御基板Ｋｂに搭載されているＲＯＭ４１の所定の記憶番地には、画像制御基板Ｋｃを介して表示装置１４及びスピーカ６に、また画像制御基板Ｋｄを介して表示装置３８に夫々表示するための各種の画像データ、各種の音声データが記憶されている。この画像データとしては、２７種の牌の図柄データ、雀球遊技機１の電源をＯＮした時に初期画面として表示する画像データ、遊技者が和り役を完成させたとき等に表示する各種の演出用画像データがある。また、各種の音声データとしては、遊技の進行に伴って遊技者に対してゲームの進行を支援するための音声、或いは演出用の効果音を出力するためのデジタルデータがある。
【００２９】
（Ａ−１−１．メイン制御基板Ｋａの構成）
メイン制御基板Ｋａに搭載されているＲＯＭ４１には、雀球遊技機１の遊技の進行を制御するための各種のプログラムが記憶されている。メイン制御基板ＫａのＲＯＭ４１に搭載されているプログラムは、例えば、図６に示すように、メイン基板動作制御プログラムＰ１、通信制御プログラムＰ２、メダル管理プログラムＰ３、遊技球管理プログラムＰ４、自動配牌プログラムＰ５、表ドラ及び裏ドラを決定するためのドラ抽選プログラムＰ７、入賞判定プログラムＰ８、自摸牌選択支援プログラムＰ９、特別遊技制御プログラムＰ１０、特別遊技継続制御プログラムＰ１１、特別遊技中自摸牌選択プログラムＰ１２、図柄表示プログラムＰ１３、和り役選択プログラムＰ１４、予想得点算出プログラムＰ１５、及び遊技球数検出プログラムＰ１６等から構成される。
【００３０】
メイン基板動作制御プログラムＰ１は、雀球遊技機１の全体の動作を統括するプログラムであり、主に下記のような処理を行う。
【００３１】
（１）遊技機１の電源がＯＮされたときの初期化の処理、例えば、電源ＯＮ時の初期化制御コマンドをサブ制御基板Ｋｂ、サブ制御基板Ｋｂを経由して画像制御基板Ｋｃに送信する。この制御コマンドに基づいて、サブ制御基板Ｋｂと画像制御基板Ｋｃは電源ＯＮ時の初期化処理を行う。これにより、画像制御基板Ｋｃは、電源ＯＮ時の演出用画像や音声等を出力することができる。
【００３２】
（２）各種の入出力センサから入力される信号を解析し、その信号に対応した処理を行うように雀球遊技機１の動作を制御する。例えば、遊技者が遊技球を発射したときに入球した入球口からの入球信号を解析し、この入球口に対応する牌の図柄を自摸牌として手牌データに追加（自摸操作）する処理、或いは遊技者が捨て牌ボタン１６ａ等を操作して手牌から不要な牌を切る操作（捨て牌操作）を行ったときに、どの捨て牌ボタンからの信号であるかを解析し、この捨て牌ボタンに対応する牌の図柄を手牌データから削除する処理、等を行う。
【００３３】
（３）自動配牌プログラムＰ５が作動して遊技開始時の１４個の手牌が決定されたときに、この手牌の図柄データをＲＡＭ４２に手牌データとして手牌記憶領域に記憶する処理、この手牌データをサブ制御基板Ｋｂに送信するための処理、及び上記（１）、（２）の処理において遊技者が捨て牌操作、自摸の操作を行う都度、現在の手牌データ、捨て牌、自摸牌に関する牌の図柄データ（以下、図柄コードという）をサブ制御基板Ｋｂに送信するための処理、等を行う。
【００３４】
通信制御プログラムＰ２は、サブ制御基板Ｋｂとの通信を行うためのプログラムであり、送信するデータは如何なる処理を行うかを予め設定した制御コマンドと共に、この制御コマンドに必要なデータが送信される。また、画像制御基板Ｋｃにデータを送信する場合には、サブ制御基板Ｋｂを経由してデータが送信されることになる。
【００３５】
メダル管理プログラムＰ３は、ゲームの進行に伴ってメダルの貯留枚数の管理と払い出しの処理を行うためのプログラムである。メイン基板動作制御プログラムＰ１はメダル投入口１５からメダルの投入信号等を検出すると、メダル管理プログラムＰ３に下記の処理を行わせる。
【００３６】
（Ａ）メダル投入口１５からメダルの投入信号を検出すると、ＲＡＭ４２に記憶している遊技メダル貯留枚数を「１」加算する。
（Ｂ）遊技開始ボタン２４からの信号を検出すると、上記遊技メダル貯留枚数を「３」減算する。
（Ｃ）和り時に、遊技終了ボタン２３からの信号を検出すると、その和り役で獲得したメダル枚数をＲＡＭ４２に記憶している遊技メダル貯留枚数に加算する。
（Ｄ）払い出しボタン２２の信号を検出したとき、貯留枚数分のメダルをメダル受け皿５に払い出すように制御信号を出し、メダルがメダル受け皿５に１枚払い出されるごとに遊技メダル貯留枚数を「１」減算する処理を行う。
【００３７】
遊技球管理プログラムＰ４は、メイン基板動作制御プログラムＰ１の制御に基づいて、次の処理を行うプログラムである。
（ａ）ゲーム開始時に、ＲＡＭ４２に記憶する残り遊技球数を１４個に設定する。
（ｂ）捨て牌ボタン１６ａ等から捨て牌の操作信号を検出すると、遊技球発射位置（図示せず）に遊技球を１球送る制御を行う。
（ｃ）遊技球発射レバー４から発射された遊技球が入球口１１ａ、１１ｂ、１１ｃ、…の何れかに入球し、その入球信号が検出されると、残り遊技球数を「１」減算し、入球した入球口に対応する牌の図柄コードを作成する。
【００３８】
自動配牌プログラムＰ５は、１ゲームの開始時に、１４個の配牌の図柄をランダムに自動的に決定するためのプログラムである。この自動配牌プログラムＰ５は、乱数発生手段により発生した乱数を利用して、本雀球遊技機１で使用する１０８個の麻雀牌から１４個の配牌の図柄を決定する処理を行う。
【００３９】
自動配牌プログラムＰ５は、例えば、次のような処理を行うことにより、ゲーム開始時に、必要とする１４個の牌の図柄を決定することができる。
（ア）本雀球遊技機１において使用される牌の図柄は、二索から八索までの索子牌を除く２７種の牌、計１０８個である。これら使用される牌には、表１に示すように、２７種の牌の図柄に、０１Ｈ〜１ＢＨの図柄コード（１６進数）を付与し、更に、各２７種から構成される計１０８個の図柄に０〜１０７までの数値を４個割り付けたデータテーブルを予めＲＯＭ４０に登録しておく。
（イ）自動配牌プログラムＰ５には、例えば、５桁の乱数を発生させる乱数発生プログラムを備えておく。そして、自動配牌プログラムＰ５は、乱数発生プログラムで発生させた５桁の乱数を１０８で除算し、その余りを算出する。続いて、表１を参照してこの余りの値に対応する牌の図柄コードを０１Ｈ〜１ＢＨから求め、この図柄コードが配牌される図柄として決定する。
（ウ）上記（イ）の処理を計１４回実施して、ゲーム開始時に、必要とする１４個の牌の図柄を決定する。なお、この５桁の乱数を発生させるプログラムには、毎回異なる乱数が発生するようにランダマイズ処理を行うプログラムを付加しておく必要がある。このような処理により決定した１４個の配牌の図柄コードはＲＡＭ４２の手牌記憶領域に記憶しておく。なお、手牌記憶領域に記憶した１４個の配牌データは図柄コードの上昇順にソートして記憶する。
【００４０】
【表１】
2007229125.tif 000003
【００４１】
ドラ抽選プログラムＰ７は、ゲーム開始時に、同様にして抽選により表ドラ及び裏ドラを決定するためのプログラムである。
【００４２】
入賞判定プログラムＰ８は、自動配牌プログラムＰ５により１４個の手牌が決定したとき、及び遊技者が自摸の操作を行ったときに、手牌が予め設定された和り役の組み合わせになっているかどうかを判定するためのプログラムである。この和り役としては、表２に示すような構成のデータテーブル、即ち、和り役のコード（表２には和り役のコードは表示せず）とその和り役に対して遊技者が獲得できる得点（獲得メダル枚数）が予め入賞判定プログラムＰ８、又はＲＯＭ４１に記憶されている。そして、現在の１４個の手牌について、入賞判定プログラムＰ８が和り役を完成していると判定した場合には、メイン制御基板Ｋａは、和り役完成の制御コマンドとその和り役のコード、獲得した得点等を、サブ制御基板Ｋｂを経由して画像制御基板Ｋｃに伝送する処理を行う。
【００４３】
【表２】
2007229125.tif 000004
【００４４】
特別遊技制御プログラムＰ１０は、特別役が成立した場合、アタッカー作動通過口１０ａ、１０ｂに設けられた入球センサ（図示せず）をＯＮし、アタッカー９の開放の契機となるアタッカー作動通過口１０ａ、１０ｂへの入球の有効／無効を判定するプログラムである。つまり、当該特別遊技制御プログラムＰ１０が、アタッカー作動通過口１０ａ、１０ｂへの入球の有効を判定すると、アタッカー９が開放されて自由選択自摸が可能となる特別遊技の権利が生じることになり、これによって、特別遊技が開始制御されることになる。
【００４５】
特別遊技継続制御プログラムＰ１１は、特別遊技が継続しているか否かを判定するとともに、特別役が成立して特別遊技が開始された場合には、成立した特別役（すなわち、ビッグ役かチャンス役）に応じて、次ゲーム以降から所定ゲーム数（ビッグ役であれば１３ゲーム、チャンス役であれば３ゲームなど）の間、継続させてアタッカー作動通過口１０ａ、１０ｂに設けられた入球センサ（図示せず）をＯＮにさせるプログラムである。つまり、当該特別遊技継続制御プログラムＰ１１が、アタッカー作動通過口１０ａ、１０ｂへの入球の有効を次ゲーム以降から１３ゲームの間継続させると、特別遊技が当該ゲーム（役成立時に進行中のゲーム）を含めて所定ゲーム数継続するビッグゲーム又はチャンスゲームの権利が生じた状態となる。なお、本実施形態における上記アタッカー作動通過口１０ａ、１０ｂへの「入球」とは、一般的な意味の「入球」と共に、ゲートを単に通過する旨も含む概念である。
【００４６】
特別遊技中自摸牌選択プログラムＰ１２は、特別遊技の権利を獲得したゲームにおいて、アタッカー９に遊技球が入球した信号が入力されると、遊技者に対して自摸する牌の図柄を自由選択する操作を行わせるためのプログラムである。つまり、本雀球遊技機１においては、例えば捨て牌の枚数（同じ牌が４枚まで）等の制限以外、遊技者が自由に好みの牌の図柄を選択して入手し、交換したのと同じようにすることができる。
【００４７】
図柄表示プログラムＰ１３は、メイン基板動作制御プログラムＰ１により検出される手牌及び捨て牌に関する情報と、上記役物作動時選択中図柄に関する情報と、ドラ抽選プログラムＰ７により検出される表ドラに関する情報と、ドラ抽選プログラムＰ７により検出される裏ドラに関する情報と、特別役選定プログラムＰ２５により抽選されたレギュラーゲームの対応役である開放条件装置作動図柄（組み合わせからなる図柄）、及びビッグゲームの対応役である条件連続装置作動図柄（組み合わせからなる図柄）に関する情報と、メダル管理プログラムＰ３により検出される遊技メダル貯留枚数及び遊技メダル獲得枚数に関する情報と、遊技球管理プログラムＰ４により検出される残り遊技球数に関する情報と、開放条件判定プログラムＰ１０により検出される開放条件装置残り連続作動回数に関する情報、及び複数回（例えば３回）開放動作するアタッカー９の１回の開放につき入球し得る５球のうちの残り球数（可変入球口残り入球数）に関する情報とを受けて、夫々の情報に応じた表示をドットマトリクス表示器３９（図６参照）やセグメント表示器（図示せず）に行わせる制御を実行する。
【００４８】
和り役選択プログラムＰ１４は、メダル投入口１５へのメダル投入に伴い、自動配牌プログラムＰ５によって自動決定された１４個の麻雀牌図柄が手牌表示部３５及び自摸牌表示部３６に配牌として表示されて１ゲームが開始された時点で、５種類の和り役の名称を、配牌に基づいた役完成の可能性が高い順に、表示制御プログラムＰ３２３を介して、和り役表示部５５ａ，５６ａ，５７ａ，５８ａ，５９ａに表示する。また、和り役選択プログラムＰ１４は、和り役表示部５５ａ〜５９ａに対応するタッチパネルＴＰの何れかが接触操作された際に発せられた信号に基づき、和り役表示部５５ａ〜５９ａに表示された複数種の和り役のうちから、接触操作に対応する（遊技者所望の）和り役（以下、「被選択和り役」とも言う）を選択決定する。
【００４９】
予想得点算出プログラムＰ１５は、タッチパネルＴＰの被操作に応答した和り役選択プログラムＰ１４によって選択された被選択和り役の完成時の予想得点を、手牌の図柄組合せの変化に応じて逐次算出する。予想得点算出プログラムＰ１５は更に、タッチパネルＴＰの被操作に応答した和り役選択プログラムＰ１４によって選択された被選択和り役の完成時に、遊技球数検出プログラムＰ１６によって検出された遊技球数を確認しつつ、開始された１ゲームの終了までに上記被選択和り役を超える得点を得られる和り役があと何牌で完成するか（つまり、当該和り役の完成に要する牌数）を算出する。
【００５０】
遊技球数検出プログラムＰ１６は、遊技球管理プログラムＰ４からの検出信号に基づき、開始された１ゲーム内にて遊技盤面部２に向けて発射可能な遊技球の個数を検出する。
【００５１】
＜Ａ−１−２．サブ制御基板Ｋｂの構成＞
また、サブ制御基板ＫｂのＲＯＭ４１に搭載されているプログラムは、図７に示すように、サブ基板動作制御プログラムＰ２１、通信制御プログラムＰ２２、ランプ制御プログラムＰ２３、和り牌判定プログラムＰ２４、等から構成されている。更に、この和り牌判定プログラムＰ２４は、聴牌パターン判定プログラムＰ２４１、自摸牌選択支援プログラムＰ２４２ａ、捨て牌選択支援プログラムＰ２４２ｂ、和り牌判定抽出プログラムＰ２４３を備えて構成されている。
【００５２】
サブ基板動作制御プログラムＰ２１は、メイン制御基板Ｋａから伝送された各種の制御コマンドを解読し、各制御コマンドに対応して上記各プログラムの実行を制御するプログラムである。
【００５３】
通信制御プログラムＰ２２は、メイン制御基板Ｋａからのデータの受信と画像制御基板Ｋｃとの通信処理を行うプログラムである。画像制御基板Ｋｃは、サブ制御基板Ｋｂから送信されたこれら各種の制御コマンドとその制御データ等を受信すると、プログラム処理により表示装置１４や表示装置３８に演出用の画像や情報を表示し、更に、スピーカ６から演出用の音声や効果音を出力する。
【００５４】
ランプ制御プログラムＰ２３は、メイン制御基板Ｋａから伝送された制御コマンドとその制御データに基づいて、ランプ７等の点灯と消灯の制御を行うためのプログラムである。
【００５５】
和り牌判定プログラムＰ２４は、遊技者が捨て牌の操作を行った後に、メイン制御基板Ｋａから送信された現在の１３個の手牌に基づいて、予め設定された和り役を完成させるために遊技者が行う所要の操作を支援（例えば、捨てるべき牌や自摸すべき牌をアシスト）するためのプログラムである。
【００５６】
例えば、上記和り牌判定プログラムＰ２４は、遊技者が現在の１３個の手牌に自摸の操作を行って１個の牌を追加した場合に、和り役（被選択和り役）を完成させることができる牌（和り牌）の有無を判定すると共に、この時点で捨て牌操作すべき牌を抽出及び支援する処理（図１及び図２の表示装置３８や図４の和り牌表示部３１への表示処理）を、図９にて後述する画面表示プログラムＰ３２を介して制御する。また、和り牌判定プログラムＰ２４は、遊技者が１４個の手牌の中から捨て牌の操作を行って手牌を１３個とした場合には、予め設定された和り役を完成させるために自摸操作すべき牌を抽出及び支援する処理（図１及び図２の表示装置３８や図４の和り牌表示部３１への表示処理）を画面表示プログラムＰ３２を介して制御する。更に、和り役があと何牌で完成するか（和り役の完成に要する牌数）の予想得点算出プログラムＰ１５による算出結果を、後述の画面表示プログラムＰ３２を介して表示装置３８へ表示する際の制御を行う。
【００５７】
メイン制御基板Ｋａのメイン基板動作制御プログラムＰ１は、遊技者が遊技球を発射して自摸の操作を行って手牌が１４個になると、入賞判定プログラムＰ８を作動させて和り役を完成させたか否かの判定を行う。そして、和り役を完成していない場合には、遊技者が１４個の手牌の中から不要な１個の牌を捨てる「捨て牌の操作」を行う都度、手牌記憶領域に記憶している１３個になった手牌の図柄コードを制御コマンドと共にサブ制御基板Ｋｂに送信する。このとき、１３個の図柄コードは上昇順にソートされてサブ制御基板Ｋｂに送信される。サブ制御基板Ｋｂのサブ基板動作制御プログラムＰ２１は、この１３個の手牌の図柄コードを受信すると、受信したデータをＲＡＭ４２に記憶した後、制御を和り牌判定プログラムＰ２４に移行させる。すると、和り牌判定プログラムＰ２４は、順次、聴牌パターン判定プログラムＰ２４１、自摸牌選択支援プログラムＰ２４２ａ、捨て牌選択支援プログラムＰ２４２ｂ、和り牌判定抽出プログラムＰ２４３を作動させる。
【００５８】
聴牌パターン判定プログラムＰ２４１は、遊技者が現在の１３個の手牌に自摸の操作を行って１個の牌を追加した場合に、手牌図柄の組合せが和り役の組合せを完成する直前の聴牌状態であるか否かを判定する。すなわち、聴牌パターン判定プログラムＰ２４１は、手牌表示部３５及び自摸牌表示部３６に表示されている手牌図柄のコードの組合せが和り役を完成する直前の聴牌状態であるか否かを判定し、その判定結果を出力する。
さらに、聴牌パターン判定プログラムＰ２４１は、リーチボタン１８が操作された際、手牌図柄の組合せが和り役の完成する直前の聴牌状態であるか否かを判定し、判定結果を出力すると共に、手牌図柄を変更不能にし、かつ和り役として立直役を１つ付加する。
【００５９】
自摸牌選択支援プログラム（表示制御手段）Ｐ２４２ａは、遊技者が１４個の手牌の中から捨て牌の操作を行って手牌を１３個とした場合、予め設定された和り役を完成させるために自摸操作すべき牌（自摸牌候補）を抽出及び支援する処理を行う。具体的には、図９に示すように、自摸牌候補を表示装置３８の下部に表示されるウインドウＷ１に表示することで、自摸牌候補の選択を支援する（詳細は後述）。
【００６０】
捨て牌選択支援プログラム（表示制御手段）Ｐ２４２ｂは、自摸操作を行って１３個の手牌に１個の牌を追加した場合に、この時点で捨て牌操作すべき牌（捨て牌候補）を抽出及び支援する処理を行う。具体的には、図１０に示すように、表示装置１４に表示される手牌及び自摸牌の中から、目標等する和り役を完成させるために不要となる捨て牌候補を抽出し、抽出した捨て牌候補を点滅表示させるなどして、捨て牌候補の選択を支援する（詳細は後述）。
【００６１】
なお、和り牌判定抽出プログラムＰ２４３が、所定の処理で判定して抽出し、ＲＡＭ４２に記憶した和り牌の図柄コードの全てを画像制御基板Ｋｃ、Ｋｄに制御コマンドと共に送信して、画像制御基板Ｋｃに対してこの和り牌の図柄コードに対応する図柄を表示させるための制御を行った際、サブ制御基板Ｋｂの和り牌判定プログラムＰ２４は、和り牌の図柄コードを受信した時点で画面表示プログラムＰ３２のゲーム演出表示プログラムＰ３２１２等を介して、受信した和り牌の図柄コードの図柄を和り牌候補として和り牌表示部３１及び表示装置３８に表示する。
【００６２】
また、上記和り牌判定抽出プログラムＰ２４３が所定の処理で和り牌を抽出した際には、この和り牌を目標とした際に遊技者が不要となる捨て牌の図柄コードも和り牌判定プログラムＰ２４にて抽出され、和り牌の図柄コードと同様にＲＡＭ４２に記憶されている。そして、この捨て牌の図柄コードもまた、画像制御基板Ｋｃ、Ｋｄに制御コマンドと共に送信して、表示装置１４に表示される複数の牌の中から、捨て牌の図柄コードに対応する捨て牌候補を表示装置１４に点滅表示などする。ここで、上記した各表示処理を行う際には、スピーカ６から説明や効果音等の音声を出力させるようにしてもよい。
【００６３】
そして、上述したような、和り牌や捨て牌に関する操作表示は、これらが単に情報データとして羅列されて表示されるだけでなく、所定の和り役に対する自摸操作及び捨て牌操作のアシスト（支援）を、ゲームと同時進行的に適宜行う。以下、図９及び図１０を参照しながら具体的に説明する。
【００６４】
＜自摸操作のアシスト動作＞
例えば、遊技者が目標とする和り役を完成させるために、あと「西、北」の牌を自摸らなくては（取得しなくては）ならない場面にあるとする。このような場合には、図９に示すように、表示装置３８の下方に表示されるウインドウＷ１の中に、和り牌判定プログラムＰ２４によって抽出された自摸牌候補となる「西、北」の牌が表示される。より詳述すると、表示装置３８には、実際に遊技者が麻雀をしているかのような演出を行う演出用キャラクタ（以下、単にキャラクタともいう）６１が表示され、このキャラクタの下方に表示されるウインドウＷ１の中に、自摸牌候補となる「西、北」の牌が表示される。遊技者は、これを視認することにより、次に引く（自摸る）べき牌を即座に理解でき、これらの牌を取得するために遊技球を遊技盤面部２の然るべき位置に向けて発射させることができるようになる。
【００６５】
なお、表示装置３８には、自摸牌候補となる「西、北」等の牌を表示するほか、残メダル数や残り玉数を表示しても良い（図９参照）。また、上述した演出用キャラクタ６１による動作やメッセージ表示は、静止画だけでなく動画による映像であってもよい。また、キャラクタ６１の動作や台詞等の文字表示に加えて（或いは代えて）音声による効果音やナレーション等が同期或いは非同期で出力されてもよい。以上説明した態様は、以下に示す捨て牌操作を支援する場合にも適用可能である。
【００６６】
＜捨て牌操作のアシスト動作＞
一方、遊技者がある時点で自摸操作を行った後、目標とする和り役を完成させるためには、例えば手牌の中から「西」の牌を捨てなくてはならない場面にあるとする。このような場合には、図１０に示すように、表示装置１４に表示される手牌及び自摸牌の中から、捨て牌候補である「西」の牌を点滅表示させる。このように、本実施形態では、捨て牌候補表示用のウインドウを新たに設けて捨て牌候補となる牌を表示するのではなく、該捨て牌候補となる牌の表示態様を、他の牌（すなわち、捨て牌候補とはならない牌）とは異ならせることで遊技者に報知する。かかる方法によれば、表示エリアなどに厳しい制約が課せられていたとしても、効率良く捨て牌候補となる牌を遊技者に報知することができ、一方、遊技者は、これを視認することにより、次に捨てるべき牌が即座に理解でき、捨て牌ボタン１６ａ等によって迅速に捨て牌操作を実行することができる。
【００６７】
図７に戻り、特別役選定プログラムＰ２５は、メイン制御基板Ｋａから送出される特別役の選定指示に従って（通常遊技の際にのみ指示）、予め設定されている和り役の中から１ゲームごとに特別遊技の権利を獲得できる和り役を選定するプログラムである。当該特別遊技には、ビッグゲームの権利を獲得できる和り役とチャンスゲーム（レギュラーゲームとも言う）の権利を獲得できる和り役とがある。例えば、ビッグゲームの権利を獲得できる和り役は、「大三元」、「国士無双」、「九連宝燈」の３種の和り役から１種を抽選により決定する。また、チャンスゲームの権利を獲得できる和り役は、例えば、「一気通貫」、「七対子」、「三暗刻」、「平和」、「一盃口」、「タンヤオ」の６種の和り役から２種を抽選により決定する。なお、特別役選定プログラムＰ２５は、この特別遊技の権利を獲得できる和り役を抽選などにより選定すると、これを画像制御基板Ｋｃに転送する。
【００６８】
（Ａ−１−３．画像制御基板Ｋｃの構成）
次いで、図８を参照して、画像制御基板ＫｃのＲＯＭ４１に搭載されているプログラムについて説明する。このプログラムは、画像基板動作制御プログラムＰ３１、画像表示プログラムＰ３２、及び音声・効果音出力プログラムＰ４１等から構成されている。以下、これらプログラムの処理内容の概要について説明する。
【００６９】
画像基板動作制御プログラムＰ３１は、サブ制御基板Ｋｂから送信された各種の制御コマンドを解読し、これら制御コマンドに対応して上記各プログラムの実行を制御するプログラムである。
【００７０】
画面表示プログラムＰ３２、音声・効果音出力プログラムＰ４１は、サブ制御基板Ｋｂから送信された制御コマンドとその制御データに基づいて、各種の演出用の画像を表示装置１４に表示する処理と、各種の演出用の音声や効果音をスピーカ６から出力する処理とを行う。
【００７１】
画面表示プログラムＰ３２は、サブ制御基板Ｋｂから送信されてきた制御コマンドとその制御データに基づいて、表示装置１４に画像や数値情報などを表示する処理を行うプログラムであり、通常遊技画面表示プログラムＰ３２１と、特別遊技画面表示プログラムＰ３２２と、表示制御プログラムＰ３２３とを備えて構成される。
【００７２】
通常遊技画面表示プログラムＰ３２１は、雀球遊技機１の電源ＯＮ時から、遊技者が通常の遊技を行っているときに、表示装置１４に各種の演出画像や遊技者に対して支援する各種の画像を表示する処理を行うプログラムであり、サブプログラムとして初期演出表示プログラムＰ３２１１、ゲーム演出表示プログラムＰ３２１２を備えている。
【００７３】
初期演出表示プログラムＰ３２１１は、電源ＯＮ時の演出画面、例えば、風景画面を表示装置１４に表示する等の処理を行う。
【００７４】
ゲーム演出表示プログラムＰ３２１２は、図４や図９、図１０などに示した内容の画面を表示装置１４や表示装置３８に表示する機能を備えて構成される。例えば、遊技の進行に伴って遊技者が捨て牌操作、通常遊技のゲームの場合は遊技球の発射による自摸操作等を行うごとに、メイン制御基板Ｋａからサブ制御基板Ｋｂを経由して送信された制御コマンドとその制御データに基づいて、現在の手牌の図柄、捨て牌の図柄、及びサブ制御基板Ｋｂから送信されてきた和り牌と判定された牌の図柄を表示する処理、和り役を完成したときその和り役を獲得した得点数を表示する処理、サブ制御基板Ｋｂから送信されてきた予め自摸操作或いは捨て牌操作すべき牌を表示する処理等、各種の表示手段を備えたプログラムから構成される。
【００７５】
特別遊技画面表示プログラムＰ３２２は、遊技者が特別遊技の権利を獲得したときに各種の演出用の画面を表示装置１４に表示する処理を行うプログラムである。この特別遊技画面表示プログラムＰ３２２は、更に、遊技者が特別遊技の権利を獲得することができる和り役を完成した時点に演出表示する権利獲得演出表示プログラムＰ３２２１、自摸牌候補選択支援プログラムＰ３２２２を備えている。
【００７６】
権利獲得演出表示プログラムＰ３２２１は、表示装置１４の和り牌表示部３１に和り役の説明表示とビッグゲーム権利成立の表示とを所定の時間間隔で交互に表示し、遊技者にビッグゲームの権利が成立したことを知らせる処理を行う。
【００７７】
自摸牌候補選択支援プログラムＰ３２２２は、遊技者が特別遊技の権利を獲得したときに作動されるプログラムであり、表示装置１４に表示された自摸牌の候補の図柄を牌選択右シフトボタン１９、或いは牌選択左シフトボタン２０を操作してスクロールさせながら、対話方式により自摸すべき牌の図柄を選択する操作を支援する。
【００７８】
表示制御プログラムＰ３２３は、和り役選択プログラムＰ１４にて選出された、今回開始された１ゲーム（当該ゲームとも言う）での自動配牌プログラムＰ５による配牌に照らし合わせた結果で役完成の可能性が高い和り役を、画面表示プログラムＰ３２を介してサブ制御基板Ｋｂから送信された制御コマンドとその制御データに基づき、和り役表示部５５ａ，５６ａ，５７ａ，５８ａ，５９ａに可能性の高い順に表示する。つまり、和り役表示部５５ａに最も可能性の高いものが表示され、この和り役表示部５５ａから表示部５９ａに向かって順に可能性の低いものが表示されることとなる。
【００７９】
表示制御プログラムＰ３２３は更に、開始された１ゲームの進行中、順次変化する手牌の状態に応じて上記選択された被選択和り役の完成時の予想得点を随時変更しつつ、予想得点表示部５５ｂ〜５９ｂの対応するものに表示するように制御する。
【００８０】
音声・効果音出力プログラムＰ４１は、サブ制御基板Ｋｂから送信された制御コマンドとその制御データに基づいて、遊技の進行に伴って各種の演出用音声、及び効果音をスピーカ６から出力するためのプログラムである。
【００８１】
また、図示はしないが、画像制御基板ＫｄのＲＯＭ４１には、画像制御基板Ｋｃで述べた画像基板動作制御プログラムＰ３１や画面表示プログラムＰ３２と同様の機能を有するプログラムが搭載されている。なお、当該画像制御基板ＫｄのＲＯＭ４１に搭載された、画面表示プログラムＰ３２と同様の機能のプログラムによると、例えば、和り牌に係るアシスト時の演出に関しては、画面表示プログラムＰ３２により表示装置１４に表示されるアシスト演出用画像とは異なる内容が表示されることとなる。
【００８２】
上記した各制御基板Ｋａ、Ｋｂ、Ｋｃ、Ｋｄの動作を制御するプログラムは、アセンブラ言語、Ｃ言語或いはVisual Basic言語等を利用して開発され、各基板のＣＰＵ４０が実行可能なプログラムである機械語プログラムに翻訳したプログラムとして各制御基板Ｋａ、Ｋｂ、Ｋｃ、ＫｄのＲＯＭ４１に記憶されている。
【００８３】
２．実施形態の動作
続いて、上述した雀球遊技機１の遊技手順とこの手順に伴う各プログラムの処理の概要について、図１１のフローチャートを参照しつつ説明する。図１１は、本雀球遊技機の作用を示すフローチャートである。
【００８４】
１遊技（ゲーム）は、遊技者がメダル投入口１５へメダルを投入して、遊技開始ボタン２４を押圧して、自動配牌プログラムＰ５が１４個の牌を配牌することによりスタートする。そして、１遊技は、遊技者による捨て牌ボタン１６ａ、１６ｂ、…、等の各種の操作ボタンの押下や、センサから発生する入力信号及び制御信号に基づいて作動する各プログラムの制御に従って進行して行くことになる。
【００８５】
まず、ステップＳ１の初期設定処理において、雀球遊技機１の電源がＯＮされると、メイン制御基板Ｋａのメイン基板動作制御プログラムＰ１は、メイン制御基板ＫａのＲＡＭ４２の記憶領域を初期化する。続いて、メイン基板動作制御プログラムＰ１は、電源ＯＮ時の初期化制御コマンドをサブ制御基板Ｋｂに、サブ制御基板Ｋｂはこの初期化制御コマンドを画像制御基板Ｋｃ、Ｋｄに伝送する。サブ制御基板Ｋｂ、画像制御基板Ｋｃ、Ｋｄはこの初期化制御コマンドを受信すると、ＲＡＭ４２の記憶領域を初期化すると共に、画像制御基板Ｋｃに搭載されている初期演出表示プログラムＰ３２１１は、電源ＯＮ時の演出画面、例えば、風景画面を表示装置１４に表示する等の処理を行う。
【００８６】
なお、サブ制御基板Ｋｂがこの電源ＯＮ時の初期化制御コマンドを受信すると、サブ基板動作制御プログラムＰ２１は、前記したようにサブ制御基板ＫｂのＲＯＭ４１に記憶している各種の画像データ、音声・効果音データを画像制御基板Ｋｃに伝送し、画像制御基板Ｋｃの画像基板動作制御プログラムＰ３１は、受信したこれら画像、音声・効果音データをＲＡＭ４２に記憶する処理を行う。
【００８７】
そして、ステップＳ２の遊技進行処理において、遊技者がメダル投入口１５にメダルを投入すると、メイン基板動作制御プログラムＰ１がそのメダル投入信号を検出し、これに伴いメダル管理プログラムＰ３が遊技メダル貯留枚数を「１」加算する処理を行う。これに伴い、制御態様を想定している状態では、メイン基板動作制御プログラムＰ１がそのメダル投入信号を検出し、これに伴い、メダル管理プログラムＰ３が遊技メダル貯留枚数を「１」加算する処理を行う。そして、ステップＳ２の遊技進行処理において、遊技者がメダル投入口１５にメダルを投入すると、メイン基板動作制御プログラムＰ１がそのメダル投入信号を検出し、これに伴いメダル管理プログラムＰ３が遊技メダル貯留枚数を「１」加算する処理を行う。続いて、遊技者が遊技開始ボタン２４を押圧し、メイン基板動作制御プログラムＰ１がこの遊技開始ボタン２４からゲーム開始信号を検出すると、１ゲームの遊技が開始できる状態になる。
【００８８】
すると、メイン基板動作制御プログラムＰ１は、ゲーム開始の制御コマンドを、サブ制御基板Ｋｂを経由して画像制御基板Ｋｃに伝送する。画像制御基板Ｋｃのゲーム演出表示プログラムＰ３２１２は、この制御コマンドに基づいて、ゲーム開始時の演出画像を表示装置１４に表示すると共に、音声・効果音出力プログラムＰ４１により音声をスピーカ６から出力する。このようにして、雀球遊技機１の１ゲームが開始される。
【００８９】
続いて、ステップＳ３の配牌処理では、メイン基板動作制御プログラムＰ１の制御により、配牌図柄決定手段である自動配牌プログラムＰ５が作動して、ゲームを開始するために必要な１４個の配牌の図柄をプログラム処理により自動的に決める。自動配牌プログラムＰ５は、自動配牌した１４個の図柄コードをＲＡＭ４２の手牌記憶領域に順次記憶した後、所定の順序、例えば、図柄コードの上昇順、すなわち、萬子、筒子、索子、風牌、三元牌の順に並び替えて（ソート）手牌記憶領域に記憶する。
【００９０】
引き続き、自動配牌プログラムＰ５は、この１４個の配牌された図柄コードを、制御コマンドと共にサブ制御基板Ｋｂに送信する。サブ制御基板Ｋｂのサブ基板動作制御プログラムＰ２１は、この配牌された図柄コードを受信するとＲＡＭ４２に記憶すると共に、画像制御基板Ｋｃにこれら１４個の配牌された図柄コードを送信する。
【００９１】
サブ制御基板Ｋｂのサブ基板動作制御プログラムＰ２１は、メイン制御基板Ｋａから送信された１４個の配牌の図柄コードについて、現時点の遊技の場において開示されている牌の開示個数を開示個数テーブルにカウントする処理を行う。また、画像制御基板Ｋｃのゲーム演出表示プログラムＰ３２１２は、１４個の配牌の図柄コードを受信すると、図４に示すような牌の図柄の画像を表示装置１４の手牌表示部３５と自摸牌表示部３６に表示する処理を行う。なお、１４個の自動配牌が決定されていない間は、手牌表示部３５、自摸した牌の図柄を表示する自摸牌表示部３６には、初期画面として牌の裏面又は無表示の図柄を表示する処理を行う。
【００９２】
そして、ステップＳ４の和り役選択処理では、メダル投入口１５へのメダル投入に伴い、自動配牌プログラムＰ５によって自動決定された１４個の麻雀牌図柄が手牌表示部３５及び自摸牌表示部３６に配牌として表示されて１ゲームが開始された時点で、配牌に照らし合わせて和り役選択プログラムＰ１４が選出した完成の可能性が高い５個の和り役の名称を、表示制御プログラムＰ３２３が和り役表示部５５ａ〜５９ａに順に表示する。
【００９３】
続いて、ステップＳ５の特別遊技役等決定表示処理では、特別役選定プログラムＰ２５（ただし、通常遊技の遊技を行っているときに作動する）、及びドラ抽選プログラムＰ７の各プログラムが作動して、ビッグゲームの権利が獲得できる和り役（ビッグゲーム役）とチャンスゲームの権利が獲得できる和り役（チャンスゲーム役）の決定、表ドラ、裏ドラの決定を行う。そして、これらのプログラムＰ２５、Ｐ７の処理により決定されたビッグゲーム和り役及びチャンスゲーム和り役、表ドラ、裏ドラの図柄の各データ（コード化されたデータ）は、制御コマンドと共に画像制御基板Ｋｃに送信される。
【００９４】
画像制御基板Ｋｃのゲーム演出表示プログラムＰ３２１２は、ビッグゲーム役及びチャンスゲーム役を獲得できる和り役のコード、表ドラ及び裏ドラの図柄コードを受信すると、ビッグゲーム役とチャンスゲーム役をそれぞれビッグゲーム和り役表示部３２、チャンス和り役表示部３３、表ドラを表ドラ表示部２９等に表示する処理を行う。
【００９５】
そして、ステップＳ６の遊技開始処理において、メイン基板動作制御プログラムＰ１は、自動配牌された１４個の牌の図柄、ビッグゲーム役、チャンスゲーム役、表ドラ等を表示装置１４に表示させる制御が完了すると、表示装置１４に遊技の開始条件が整ったことを遊技者に画面表示又は音声で知らせるように制御する。続いて、メイン基板動作制御プログラムＰ１は、入賞判定プログラムＰ８を作動させて、自動配牌された１４個の手牌が既に和り役（天和など）を完成しているか否かを判定させる処理を行う。この判定処理で和り役を完成している場合には、入賞判定プログラムＰ８は、予め設定された如何なる和り役で上がっているかの判定と遊技者が獲得できる得点（獲得メダル枚数）を前記表２のデータを参照して決定する。更に、入賞判定プログラムＰ８は、これら和り役、獲得した得点等を、サブ制御基板Ｋｂを経由して画像制御基板Ｋｃに送信する。画像制御基板Ｋｃは、これら和り役と獲得した得点等を受信すると、ゲーム演出表示プログラムＰ３２１２は、表示装置１４に和り役、獲得した得点、その他の演出画像を表示装置１４に所定の時間ほど表示する処理を行う。
【００９６】
自動配牌された１４個の牌の図柄が和り役を完成していない場合には、メイン基板動作制御プログラムＰ１は、遊技者に手牌の中から不要な１個の牌を捨てる操作を促すための画面表示を行う制御コマンドを、サブ制御基板Ｋｂを経由して画像制御基板Ｋｃに送信する。画像制御基板Ｋｃはこの制御コマンドを受信すると、ゲーム演出表示プログラムＰ３２１２は、手牌の中から不要な１個の牌を捨てる操作を促すためのメッセージや画像を表示装置１４や表示装置３８等に表示する処理を行う。
【００９７】
そして、ステップＳ７の被選択和り役選択処理では、遊技者が、和り役表示部５５ａ〜５９ａに夫々表示された和り役を視認しながら勘案し、自分にとって遊技し易い、当該ゲームにて狙うべき和り役（被選択和り役）を選択する。ここで、図１２を参照して、図４における表示装置内の和り役選択表示部の画面例を詳細に説明する。
【００９８】
例えば、この図１２に示すように、和り役表示部５５ａ〜５９ａの夫々に、配牌に基づく完成の可能性が高い順に「平和」「チャンタ」「混一色」「一気通貫」「ジュンチャン」と表示された場合に、遊技者がチャンタを狙うべく和り役表示部５６ａを接触操作すると、その対応するタッチパネルＴＰが動作して信号を発するため、和り役選択プログラムＰ１４が、和り役表示部５６ａに対応する当該信号に基づき、和り役表示部５６ａに表示された和り役である「平和」を選択決定する。この際、表示制御プログラムＰ３２３は、和り役表示部５６ａの画面表示を一層明るく点灯させるように表示制御する。
【００９９】
ステップＳ８の予想得点表示処理において、目標の被選択和り役を「平和」として１ゲームが開始されると、予想得点算出プログラムＰ１５は、選択された上記和り役の完成時の予想得点を、手牌の図柄組合せの変化に応じて逐次算出し、表示制御プログラムＰ３２３が、画面表示プログラムＰ３２を介してサブ制御基板Ｋｂから送信された制御コマンドとその制御データに基づき、予想得点算出プログラムＰ１５で算出された予想得点を、和り役に対応させた形で予想得点表示部５５ｂ〜５９ｂの何れか（この場合は、和り役表示部５６ａに対応する予想得点表示部５６ｂ）に表示する。
【０１００】
更に、ステップＳ９の捨て牌・自摸牌処理において、遊技者は、手牌表示部３５と自摸牌表示部３６に表示されている牌の図柄から、捨て牌を選択する操作を行うことになる。この際、１４個の手牌に基づき、和り牌判定プログラムＰ２４が被選択和り役の完成に不要となる捨て牌を抽出し、その図柄コード及び制御コマンドを画像制御基板Ｋｃに送信する。画像制御基板Ｋｃは、それらの図柄コード及び制御コマンドを受信すると、ゲーム演出表示プログラムＰ３２１２によって、捨て牌操作を支援する画像を表示装置１４に表示する処理を行う。
【０１０１】
例えば、図１３のＡに示すような手牌が表示装置１４に表示されている場合には、捨て牌選択支援プログラムＰ２４２ｂは基本どおり使いづらい字牌「西」を捨て牌候補として選択し、選択した捨て牌候補「西」を点滅表示すれば良い。このとき、音声・効果音出力プログラムＰ４１を作動させて、和り役をつくるときのポイントをあらわす音声メッセージ（「まずは、字牌から捨てていきましょう！」など）を出力しても良い。
【０１０２】
そして、遊技者は捨て牌の図柄を決定すると、この捨て牌の図柄に対応する捨て牌ボタン１６ａ、１６ｂ、１６ｃ、…、或いは自摸牌捨てボタン１７のいずれか１つを選択（オン）してこの牌を捨てる。すると、この捨て牌選択信号に基づいて、メイン基板動作制御プログラムＰ１は、捨て牌操作を行って捨て牌とした牌の図柄コードをＲＡＭ４２に記憶し、更に、ＲＡＭ４２の手牌記憶領域に記憶している手牌の中から捨て牌とした図柄コードを削除して、手牌を１３個にする処理を行う。
【０１０３】
続いて、メイン基板動作制御プログラムＰ１は、この捨て牌とした図柄コードと、１３個になった手牌の図柄コードを制御コマンドと共に、サブ制御基板Ｋｂとサブ制御基板Ｋｂを経由して画像制御基板Ｋｃに送信する処理を行う。画像制御基板Ｋｃのゲーム演出表示プログラムＰ３２１２は、捨て牌とした図柄コードを受信するとその図柄コードに対応する牌の図柄を捨て牌表示部３４に表示し、１３個の手牌の図柄コードを受信するとこれらの図柄コードに対応する牌の図柄を手牌表示部３５に表示する処理を行う。このとき、自摸牌表示部３６には、図４に示すように、牌の裏面等を表示するようにする。
【０１０４】
一方、サブ制御基板Ｋｂのサブ基板動作制御プログラムＰ２１は、上記１３個の手牌の図柄コードを受信すると、和り牌判定プログラムＰ２４を構成する聴牌パターン判定プログラムＰ２４１、自摸牌選択支援プログラムＰ２４２ａ、捨て牌選択支援プログラムＰ２４２ｂ、和り牌判定抽出プログラムＰ２４３を作動させて、前記したように、現在の１３個の手牌に対して、和り役を完成させるために次に自摸すべき牌の有無を判定し、和り役を完成させる牌が抽出された場合には、この牌の図柄を表示装置１４に表示させる処理を行う。
【０１０５】
更に、和り牌判定プログラムＰ２４は、上記自摸すべき牌を抽出すると、それらの図柄コード及び制御コマンドを画像制御基板Ｋｃに送信する。画像制御基板Ｋｃは、それらのコード及びコマンドを受信すると、ゲーム演出表示プログラムＰ３２１２の制御によって、例えば図９に示したような、キャラクタ６１の動作による自摸操作を支援する映像を、表示装置３８に表示する処理を行う。このとき、音声・効果音出力プログラムＰ４１を作動させて、音声を同期或いは非同期で出力する処理を行うようにしてもよい。
【０１０６】
続いて、ステップＳ１０の遊技球発射処理において、メイン制御基板Ｋａのメイン基板動作制御プログラムＰ１は、上記した遊技者による捨て牌・自摸牌の操作に関する処理が終了すると、遊技球管理プログラムＰ４を作動させて、遊技球を遊技球発射位置に一球送る処理を行う。すると、遊技者は、遊技球発射レバー４を操作して、遊技盤面２内に遊技球を発射できる状態になる。
【０１０７】
遊技者が遊技球を発射し、この遊技球が入球口１１ａ、１１ｂ、１１ｃ、…の何れかに入球すると、夫々に備えられたセンサが遊技球を検出して入球信号が発生する。遊技球管理プログラムＰ４はこの入球信号を解読し、入球した入球口に対応する牌（自摸牌）の図柄コードを手牌記憶領域に記憶する処理を行う。
【０１０８】
続いて、ステップＳ１１の手牌判定処理において、入賞判定プログラムＰ８が作動し、１４個となった手牌が和り役を完成しているか否かを判定する。そして、手牌が和り役を完成している場合には（ステップＳ１１；ＹＥＳ）、前記したように、予め設定された如何なる和り役で上がっているかの判定と遊技者が獲得できる得点を求め、これらのデータを、サブ制御基板Ｋｂを経由して画像制御基板Ｋｃに送信する処理を行う。一方、和り役を完成していない場合には（ステップＳ１１；ＮＯ）、ステップＳ９に戻って捨て牌処理を行う。
【０１０９】
例えば、図１３のＢに示すように「四萬」を自摸した場合、前述したように、和り牌判定プログラムＰ２４は１４個の手牌に基づき、被選択和り役の完成に不要となる捨て牌を抽出し、その図柄コード及び制御コマンドを画像制御基板Ｋｃに送信する。この場合、捨て牌選択支援プログラム（表示制御手段）Ｐ２４２ｂは、２つの字牌「北」、「白」を捨て牌候補として選択し、選択した捨て牌候補「北」、「白」を点滅表示する。ただし、未だ２巡目であることを考慮すれば、「白」よりも「北」を捨てた方が好ましい。よって、このような場合には、「北」と「白」との点滅速度や色調を変え、「白」よりも「北」の方が捨て牌候補として好ましいことを遊技者に報知する。このように、複数の牌を捨て牌候補として選択した場合には、所定の条件に基づいて適切な捨て牌候補（ここでは「北」）と、他の捨て牌候補（ここでは「白」）との間で表示態様を変えても良い。なお、このとき、音声・効果音出力プログラムＰ４１を作動させて、和り役をつくるときのポイントをあらわす音声メッセージ（「まだ２巡目なので、「北」を捨てるのが最も望ましいでしょう！」など）を出力しても良い。
【０１１０】
遊技者は、上記と同様に捨て牌の図柄を決定すると、この捨て牌の図柄に対応する捨て牌ボタン１６ａ、１６ｂ、１６ｃ、…、或いは自摸牌捨てボタン１７のいずれか１つを選択（オン）してこの牌を捨てる。すると、この捨て牌選択信号に基づいて、メイン基板動作制御プログラムＰ１は、捨て牌操作を行って捨て牌とした牌の図柄コードをＲＡＭ４２に記憶し、更に、ＲＡＭ４２の手牌記憶領域に記憶している手牌の中から捨て牌とした図柄コードを削除して、手牌を１３個にする処理を行う。
【０１１１】
このような処理を繰り返し実行している間に、手牌及び自摸牌を組み合わせることによって聴牌が形成される状態になると、遊技者は捨て牌操作を行う前に、リーチボタン１８を操作してリーチをかけることが可能となる。例えば、図１３のＣ、Ｄに示すように、「五索」を捨てることで聴牌が形成される場合には、「五索」について色調を変えながら点滅表示することで、リーチがかけられることを遊技者に報知する。このように、リーチ可能となった場合（設定条件）の捨て牌候補の表示態様と、他の場合の捨て牌候補の表示態様とを変えることで、リーチが可能になったことを遊技者に報知しても良い。ただし、リーチをかけることができるのは、残り遊技球数表示部２７に「１」以上の数値の表示がある場合に限られるため、かかる条件を満たしていない場合には、リーチボタン１８を操作してもリーチをかけることができない。
【０１１２】
このようにリーチボタン１８を操作した後、捨て牌ボタン１６ａ、１６ｂ、１６ｃ、…のいずれか１つを操作して手牌の中から１つの牌の図柄を捨てるか、自摸牌捨てボタン１７を操作して自摸牌切りを行うと、捨て牌の図柄を捨て牌表示部３４に横向きに表示する制御を行う。また、裏ドラ表示部３０には裏ドラの図柄を表示する制御も行う。
【０１１３】
このリーチ操作に関する制御は、例えば、次のような処理を行う。まず、メイン基板動作制御プログラムＰ１は、リーチボタン１８の操作信号を検出し、更に捨て牌ボタン１６ａ、１６ｂ、等からの操作信号を検出後、入賞判定プログラムＰ８の聴牌判定処理により現在の手牌が聴牌状態になっているとの判定結果が得られると、リーチがかかったという制御コマンドを、サブ制御基板Ｋｂを経由して画像制御基板Ｋｃに送信する。画像制御基板Ｋｃのゲーム演出表示プログラムＰ３２１２は、この制御コマンドを受信すると、この直後に送信されてくる捨て牌の図柄コードの図柄は、捨て牌表示部３４に横向きに表示する処理を行う。
【０１１４】
なお、ゲームの場がリーチ状態になると、遊技者が発射した遊技球が入球口１１ａ、１１ｂ、１１ｃ、…に入球した図柄に対応する牌（自摸牌）が和りを完成させる牌にならないときには、メイン基板制御プログラムＰ１は、この自摸牌を自動的に捨て牌として処理するようにする。これにより、遊技者は、リーチ操作後は捨て牌ボタン１６ａ、…等を操作する必要がなくなる。
【０１１５】
入賞判定プログラムＰ８の制御により、１遊技で獲得できる得点は、例えば、最高１０点までとしその上限が設定されている。また、和り役が２種類以上同時に成立した場合には、それぞれの和り役に与えられる得点が加算された得点がそのゲームの得点になる。同様に、手牌中に表ドラ及び裏ドラと同一の牌の図柄が含まれている場合には、そのドラ牌に対しても得点、例えば、ドラ１個に付き１点の得点が加算される。ゲームで獲得した得点の１点がメダル１枚に該当する。ただし、当該ゲームで獲得した得点数の合計が１０点を超えた場合は、獲得できるメダル枚数（得点）は全て１０枚になる。
【０１１６】
そして、ステップＳ１２の和り役完成時処理において、１ゲームの開始時に遊技者によって選択された和り役が完成した場合、予想得点算出プログラムＰ１５は、遊技球数検出プログラムＰ１６による検出結果に基づき、当該ゲーム内にて発射可能な遊技球数を確認しつつ、この１ゲーム終了までに上記選択された被選択和り役を超える得点を得られる和り役があと何牌で完成するかを算出する。
【０１１７】
更に、和り役選択表示部５４では、上記完成までの牌数に基づき、当該ゲームにて完成した被選択和り役の「平和」を表示した和り役表示部５６ａはそのままにした状態で、他の和り役表示部５５ａ，５７ａ，５８ａ，５９ａに、完成した被選択和り役を超える得点を得られる和り役が表示される。
【０１１８】
ここで、遊技者は、他の和り役表示部５５ａ，５７ａ，５８ａ，５９ａに表示された新たな和り役を視認しつつ勘案し、上記完成した被選択和り役「平和」よりも得点の高い他の和り役に興味を持った際には、新たに選択すべき和り役を表示した和り役表示部５５ａ，５７ａ，５８ａ，５９ａの何れかを接触操作する。これにより、当該接触操作された和り役表示部５５ａ，５７ａ，５８ａ，５９ａの何れかが、被選択和り役「平和」を明るく表示していた和り役表示部５６ａに代わって明るく表示され、遊技球数検出プログラムＰ１６にて検出される遊技球数が維持される間、新たに選択された和り役を狙ったゲームが展開されることとなる。
【０１１９】
以上説明したように、本実施形態によれば、捨て牌操作を支援する際、捨て牌候補表示用のウインドウを新たに設けて捨て牌候補となる牌を表示するのではなく、該捨て牌候補となる牌の表示態様を他の牌（すなわち、捨て牌候補とはならない牌）とは異ならせることで、遊技者に報知する。かかる方法によれば、表示エリアなどに厳しい制約が課せられていたとしても、効率良く捨て牌候補となる牌を遊技者に報知することができる。この結果、麻雀の和り役等を熟知していない初心者であっても、ストレスを感じることなく不要な牌を迅速に捨てることができ、雀球遊技を楽しむことができる。
【０１２０】
上述した本実施形態では、自摸操作を支援する際、ウインドウＷ１の中に自摸牌候補となる牌を表示したが、これに加えてキャラクタ６１による遊技規則や和り役に関するメッセージ（例えば、「五筒、若しくは八筒の両面待ちだ！！頑張れ！！」など）を表示しても良い。
【０１２１】
かかる構成によれば、遊技規則や和り役の作り方などがわからない初心者などであっても、ゲームに親しみながら楽しんで覚えることができる。また、これら遊技規則や和り役の作り方を覚えることができれば、より高いレベルで作戦を立てることが可能となり、遊技性の向上を図ることが可能となる。
【０１２２】
さらに、自摸支援表示ウインドウＷ１の中に自摸牌候補となる牌を複数表示する場合には、和り役までの手牌の変動などを考慮して、図１４に示すように、最も望ましい自摸牌候補と他の自摸牌候補の間で色表示態様（色調など）を変えても良い。
【０１２３】
また、上述した実施形態では、当該ゲームが行われている間、常に自摸牌候補を表示装置３８のウインドウＷ１に表示していたが、例えば特定の条件が成立する場合にのみ、自摸牌候補を表示してもよい。具体的には、手牌及び自摸牌を組み合わせることによって聴牌が形成されるといった条件が成立する場合にのみ、決定された捨て牌候補に対応する自摸牌候補（すなわち、待ち牌候補）を表示装置３８のウインドウＷ１に表示してもよい。もちろん、かかる条件はあくまで例示にすぎず、どのような条件に設定にするかは任意である。
【０１２４】
Ｂ．変形例
上述した実施形態では、雀球遊技機（専用機）を例に説明したが、その他のハードウエアにおいても実現可能である。
図１５は、本発明に係る雀球遊技機と同じ遊技を画面上において実行（擬似遊技）することが可能なシミュレーション装置の構成を示すブロック図である。
シミュレーション装置５００は、例えばパーソナルコンピュータやゲーム機、携帯電話やＰＤＡなどであり、制御装置５１０と、表示装置５２０と、入力装置５３０とを備えている。
【０１２５】
制御装置５１０は、ＣＰＵ５１０ａ、ＲＯＭ５１０ｂ、ＲＡＭ５１０ｃなどを備え、ＲＯＭ５１０ｂなどのメモリに格納された各種制御プログラムを実行することにより、シミュレーション装置５００の各部を中枢的に制御する。制御装置５１０のメモリには、表示装置５２０の画面上において擬似遊技を行うためのシミュレーションプログラムが格納されている。かかるシミュレーションプログラムについては、ＣＤ−ＲＯＭ、磁気ディスク、半導体メモリなどの各種の記憶媒体を通じてインストールするほか、シミュレーションプログラムを備えたサーバからネットワーク（インターネットやイントラネットなど）、通信インタフェース（図示略）を介してダウンロードすることができる。
表示装置５２０は、ＣＲＴや液晶パネルなどから構成され、図１に示す雀球遊技機１を構成する各要素をあらわす画像、例えば表示装置１４に表示される手牌や自摸牌、表示装置３８に表示されるキャラクタ６１などを表示する。
【０１２６】
入力装置５３０は、マウスやキーボードなどにより構成され、雀球遊技機１を構成する遊技球発射レバー４などの機能を実現する。具体的には、遊技者によって入力装置５３０が操作されることにより、擬似遊技において遊技球の発射操作などが行われる。
以上説明したシミュレーションプログラムによれば、本発明に係る遊技機と同じ遊技をパーソナルコンピュータや携帯電話などのシミュレーション装置によって実現することができるため、遊技者は、かかるシミュレーション装置によって擬似遊技を楽しむことができる。
【図面の簡単な説明】
【０１２７】
【図１】本発明に係る実施形態における雀球遊技機を示す正面図である。
【図２】図１における遊技盤面部を抜粋して示す正面図である。
【図３】図１における操作パネルの構成を示す正面図である。
【図４】図１における表示装置に表示する画面例を説明するための図である。
【図５】本雀球遊技機の動作を制御するための制御基板の構成例を示す図である。
【図６】図５に示すメイン制御基板に搭載されているプログラムの構成例を示す図である。
【図７】図５に示すサブ制御基板に搭載されているプログラムの構成例を示す図である。
【図８】図５に示す画像制御基板に搭載されているプログラムの構成例を示す図である。
【図９】図１における表示装置に表示される演出用キャラクタの一例を示す模式図である。
【図１０】図１における表示装置に表示する画面例を説明するための図である。
【図１１】本雀球遊技機の作用を示すフローチャートである。
【図１２】図４における表示装置内の和り役選択表示部の画面例を説明するための図である。
【図１３】和り役完成までの過程を説明するための図である。
【図１４】図１における表示装置に表示される演出用キャラクタの一例を示す模式図である。
【図１５】変形例に係るシミュレーション装置の構成を示すブロック図である。
【符号の説明】
【０１２８】
１：雀球遊技機
２：遊技盤面部
１１ａ，１１ｂ，１１ｃ，１１ｄ，…：入球口
１４：表示装置（表示装置）
３８：表示装置（表示装置）
３５：手牌表示部（表示装置）
３６：自摸牌表示部（表示装置）
Ｗ１：自摸操作支援ウインドウ（表示ウインドウ）
Ｐ２４２ａ：自摸牌選択支援プログラム（表示制御手段、決定手段）
Ｐ２４２ｂ：捨て牌選択支援プログラム（表示制御手段、決定手段）
【図１】
2007229125.tif 000005
【図２】
2007229125.tif 000006
【図３】
2007229125.tif 000007
【図４】
2007229125.tif 000008
【図５】
2007229125.tif 000009
【図６】
2007229125.tif 000010
【図７】
2007229125.tif 000011
【図８】
2007229125.tif 000012
【図９】
2007229125.tif 000013
【図１０】
2007229125.tif 000014
【図１１】
2007229125.tif 000015
【図１２】
2007229125.tif 000016
【図１３】
2007229125.tif 000017
【図１４】
2007229125.tif 000018
【図１５】
2007229125.tif 000019